(57)【要約】【課題】回路構成が簡単な、かつ、管理者が諧調を自由に制御できる、表示装置を提供する。【解決手段】発光色が異なる第１発光素子８および第２発光素子９からなる各ドット７が行列状に配置された表示部３ａ〜３ｄと、第１発光素子８を駆動する第１信号駆動部１２〜１５と、第２発光素子９を駆動する第２信号駆動部１６〜１９と、制御手段２０とを備え、制御手段２０は第１信号駆動部１２〜１５に第１階調信号を与え、弟２信号駆動部１６〜１９に第２諧調信号を与えると、点灯信号が与えられた複数の第１発光素子８は同一の第１階調にて点灯し、点灯信号が与えられた複数の第２発光素子９は同一の第２諧調にて点灯する。【選択図】図２
2006030604.tif 000002
【特許請求の範囲】
【請求項１】
発光色が異なる第１発光素子および第２発光素子からなる各ドットが行列状に配置された表示部と、前記第１発光素子を駆動する第１信号駆動部と、前記第２発光素子を駆動する第２信号駆動部と、制御手段とを備え、前記制御手段は前記第１信号駆動部に第１階調信号を与え、前記弟２信号駆動部に第２諧調信号を与えると、点灯信号が与えられた前記複数の第１発光素子は同一の第１階調にて点灯し、点灯信号が与えられた前記複数の第２発光素子は同一の第２諧調にて点灯する事を特徴とする表示装置。
【請求項２】
前記表示部において、複数の走査線と、複数の第１信号線および複数の第２信号線とが行列状に設けられ、各第１発光素子の１側は各第１信号線に接続され、各第２発光素子の１側は各第２信号線に接続され、各第１発光素子の他側および各第２発光素子の他側は共通して、各走査線に接続されている事を特徴とする請求項１の表示装置。
【請求項３】
各走査線は走査駆動部に接続され、各第１信号線は前記第１信号駆動部に接続され、各第２信号線は前記第２信号駆動部に接続されている事を特徴とする請求項２の表示装置。
【請求項４】
前記第１階調にて点灯する事および前記第２諧調にて点灯する事は各々、段階的に指示された点灯パルス幅に従い点灯する事であることを特徴とする請求項１の表示装置。
【請求項５】
前記制御手段に接続された入力部を設け、前記入力部において、前記第１発光素子に係る第１階調度が入力されると、前記制御手段は、前記第１階調度に対応する前記第１諧調信号を与える事を特徴とする請求項１の表示装置。
【請求項６】
前記入力部において、前記第２発光素子に係る第２階調度が入力されると、前記制御手段は、前記第２階調度に対応する前記第２諧調信号を与える事を特徴とする請求項５の表示装置。
【請求項７】
前記制御手段は前記表示部に対し、前記第１階調および前記第２諧調にて、前記第１階調度および前記第２諧調度を表示させる事を特徴とする請求項６の表示装置。
【発明の詳細な説明】
【技術分野】
【０００１】
本発明は表示装置に関する。
【背景技術】
【０００２】
従来、この種の装置は例えば、特許文献１の図３に示されている。図３によると、２４は緑用のシフトレジスタ１３の出力をワードに変換する回路であり、その出力は緑用のメモリ２８，２９へ与えられる。２５は赤用のシフトレジスタ１４の出力をワードに変換する回路であり、その出力は赤用のメモリ３０，３１へ与えられる。
【０００３】
３２，３３は図１、図２の演算ロジック部９に相当するものである。３４，３５は緑色発光ダイオードと、赤色発光ダイオードである。この場合、走査線Ｙ１にローレベルパルスが与えられる。
【特許文献１】特開平９−１６１２４号公報
【発明の開示】
【発明が解決しようとする課題】
【０００４】
上記装置では、個々のドットについて、諧調表示を行なうため、個々の緑色発光ダイオード３４および赤色発光ダイオード３５を諧調制御している。そのため、個々の緑色発光ダイオード３４毎に、変換回路２４と、メモリ２８，２９と、演算ロジック部３２が必要となる。また、個々の赤色発光ダイオード３５毎に、変換回路２５と、メモリ３０，３１と、演算ロジック部３３が必要となる。この様に、回路構成が複雑となり、コストが高くなる、第１の欠点がある。
【０００５】
更に、上記装置では、信号供給回路４から出力された信号データにより、各発光ダイオード３４，３５の諧調が決定されていた。そのため、この装置の管理者は、諧調を自由に制御できない、第２の欠点がある。故に、本発明はこの様な従来の欠点を考慮して、回路構成が簡単な、かつ、管理者が諧調を自由に制御できる、表示装置を提供する。
【課題を解決するための手段】
【０００６】
上記課題を解決するために、請求項１の本発明では、発光色が異なる第１発光素子および第２発光素子からなる各ドットが行列状に配置された表示部と、前記第１発光素子を駆動する第１信号駆動部と、前記第２発光素子を駆動する第２信号駆動部と、制御手段とを備え、前記制御手段は前記第１信号駆動部に第１階調信号を与え、前記弟２信号駆動部に第２諧調信号を与えると、点灯信号が与えられた前記複数の第１発光素子は同一の第１階調にて点灯し、点灯信号が与えられた前記複数の第２発光素子は同一の第２諧調にて点灯する。
【０００７】
請求項２の本発明では、前記表示部において、複数の走査線と、複数の第１信号線および複数の第２信号線とが行列状に設けられ、各第１発光素子の１側は各第１信号線に接続され、各第２発光素子の１側は各第２信号線に接続され、各第１発光素子の他側および各第２発光素子の他側は共通して、各走査線に接続されている。
【０００８】
請求項３の本発明では、各走査線は走査駆動部に接続され、各第１信号線は前記第１信号駆動部に接続され、各第２信号線は前記第２信号駆動部に接続されている。
【０００９】
請求項４の本発明では、前記第１階調にて点灯する事および前記第２諧調にて点灯する事は各々、段階的に指示された点灯パルス幅に従い点灯する事である。
【００１０】
請求項５の本発明では、前記制御手段に接続された入力部を設け、前記入力部において前記第１発光素子に係る第１階調度が入力されると、前記制御手段は、前記第１階調度に対応する前記第１諧調信号を与える。
【００１１】
請求項６の本発明では、前記入力部において、前記第２発光素子に係る第２階調度が入力されると、前記制御手段は、前記第２階調度に対応する前記第２諧調信号を与える。
【００１２】
請求項７の本発明では、前記制御手段は前記表示部に対し、前記第１階調および前記第２諧調にて、前記第１階調度および前記第２諧調度を表示させる。
【発明の効果】
【００１３】
請求項１の本発明では、第１発光素子を駆動する第１信号駆動部と、第２発光素子を駆動する第２信号駆動部を設ける。そして、制御手段は第１信号駆動部および第２信号駆動部に対し各々、第１階調信号と第２諧調信号を与える。即ち、第１発光素子全部を均一に諧調制御し、第２発光素子全部を均一に諧調制御する。その結果、従来の様に、個々の発光素子を諧調制御しないので、発光素子毎にメモリを持つ必要がなく、回路構成が簡単であり、コストも安い。
【００１４】
請求項２の本発明の様に、各第１発光素子の他側および各第２発光素子の他側は共通して各走査線に接続される。その結果、各走査線の数は従来の半分となり、回路構成が簡単となる。
【００１５】
請求項３の本発明の様に、各走査線に接続される走査駆動部の数は従来の半分となり、コストが安くなる。
【００１６】
請求項４の本発明の様に、点灯パルス幅に従い、諧調制御するので、正確な諧調ができかつ、回路構成が簡単となる。
【００１７】
請求項５の本発明の構成により、管理者は、第１発光素子に係る諧調を自由に制御できかつ、容易に操作する事ができる。
【００１８】
請求項６の本発明の構成により、管理者は、第２発光素子に係る諧調を自由に制御できかつ、容易に操作する事ができる。
【００１９】
請求項７の本発明の構成により、第１階調度および第２諧調度は、各々の第１階調および第２諧調で表示される。その結果、管理者は自分が入力した第１および第２諧調度を、第１および第２諧調で見ることができ、混色の色合いを瞬時に知ることができる。その結果、管理者は望ましい色合いを、容易にかつ正確に設定する事ができる。
【発明を実施するための最良の形態】
【００２０】
次に、図１ないし図５に従い、本発明を実施するための最良の形態１の係る表示装置１を説明する。図１は表示装置１のブロック図である。図２は、この表示装置１に用いられる表示手段２の正面図である。図３は、この表示装置１に用いられる１ドットの正面図である。図４は、この表示手段２を示す回路図の１部である。図５は、この表示手段２を示す回路図の他部である。
【００２１】
これらの図において、１個の表示部３ａを構成する回路基板（図示せず）の表面には、１６本の走査線４０１〜４１６（図４参照）が形成されている。
【００２２】
表示部３ａを構成する回路基板の裏面には、３２本の第１信号線５０１〜５１６，５０１ａ〜５１６ａ（図４参照）が形成されている。上記回路基板の裏面には、３２本の第２信号線６０１〜６１６，６０１ａ〜６１６ａ（図５参照）が形成されている。
【００２３】
この様に、表示部３ａにおいて、複数の走査線４０１〜４１６と、複数の第１信号５０１〜５１６，５０１ａ〜５１６ａおよび第２信号線６０１〜６１６，６０１ａ〜６１６ａとが行列状に設けられている。
【００２４】
図３に示す様に、表示部３ａの１つのドット７は例えば、発光色が異なる第１発光素子８および第２発光素子９からなる。表示部３ａは、縦に１６個のドットが、横に１６個のドットが行列状に配置されている。第１発光素子８は例えば、橙色を発光する発光ダイオードである。第２発光素子９は例えば、青色を発光する発光ダイオードである。
【００２５】
図４に示す様に、各第１発光素子８の１側（例えばカソード側）は、各第１信号５０１〜５１６，５０１ａ〜５１６ａに接続されている。各第１発光素子８の他側（例えばアノード側）は、各走査線４０１〜４１６に接続されている。
【００２６】
走査駆動部１０に設けられた８個の出力端子（図示せず）は各々、走査線４０１〜４０８に接続されている。走査駆動部１０には、スキャン信号Ａが入力される。
【００２７】
走査駆動部１１に設けられた８個の出力端子（図示せず）は各々、走査線４０９〜４１６に接続されている。走査駆動部１０には、スキャン信号Ａが入力される。
【００２８】
図４に示す様に、第１信号駆動部１２に設けられた８個の出力端子は各々、第１信号線５０１〜５０８に接続されている。第１信号駆動部１２には、クロック信号Ｃと、ラッチ信号Ｌと、第１階調信号Ｉ１と、データ（点灯信号）Ｄ１が入力される。
【００２９】
第１信号駆動部１３に設けられた８個の出力端子は各々、第１信号線５０９〜５１６に接続されている。第１信号駆動部１３には、クロック信号Ｃと、ラッチ信号Ｌと、第１階調信号Ｉ１と、データ（点灯信号）Ｄ２が入力される。
【００３０】
第１信号駆動部１４に設けられた８個の出力端子は各々、第１信号線５０１ａ〜５０８ａに接続されている。第１信号駆動部１４には、クロック信号Ｃと、ラッチ信号Ｌと、第１階調信号Ｉ１と、データ（点灯信号）Ｄ３が入力される。
【００３１】
第１信号駆動部１５に設けられた８個の出力端子は各々、第１信号線５０９ａ〜５１６ａに接続されている。第１信号駆動部１５には、クロック信号Ｃと、ラッチ信号Ｌと、第１階調信号Ｉ１と、データ（点灯信号）Ｄ４が入力される。この様に、各第１信号線５０１〜５１６，５０１ａ〜５１６ａは、第１信号駆動部１２，１３，１４，１５に接続されている。
【００３２】
図５に示す様に、各第２発光素子９の１側（例えばカソード側）は、各第２信号６０１〜６１６，６０１ａ〜６１６ａに接続されている。各第２発光素子９の他側（例えばアノード側）は、各走査線４０１〜４１６に接続されている。
【００３３】
走査駆動部１０に設けられた８個の出力端子（図示せず）は各々、走査線４０１〜４０８に接続されている。走査駆動部１０には、スキャン信号Ａが入力される。
【００３４】
走査駆動部１１に設けられた８個の出力端子（図示せず）は各々、走査線４０９〜４１６に接続されている。走査駆動部１０には、スキャン信号Ａが入力される。
【００３５】
この様に、各第２発光素子９の１側は、各第２信号線６０１〜６１６，６０１ａ〜６１６ａに接続されている。各第１発光素子８の他側および各第２発光素子９の他側は共通して、各走査線４０１〜４１６に接続されている。
【００３６】
図５に示す様に、第２信号駆動部１６に設けられた８個の出力端子は各々、第２信号線６０１〜６０８に接続されている。第２信号駆動部１６は、クロック信号Ｃと、ラッチ信号Ｌと、第２階調信号Ｉ２と、データ（点灯信号）ｄ１が入力される。
【００３７】
第２信号駆動部１７に設けられた８個の出力端子は各々、第２信号線６０９〜６１６に接続されている。第２信号駆動部１７には、クロック信号Ｃと、ラッチ信号Ｌと、第２階調信号Ｉ２と、データ（点灯信号）ｄ２が入力される。
【００３８】
第２信号駆動部１８に設けられた８個の出力端子は各々、第２信号線６０１ａ〜６０８ａに接続されている。第２信号駆動部１８には、クロック信号Ｃと、ラッチ信号Ｌと、第２階調信号Ｉ２と、データ（点灯信号）ｄ３が入力される。
【００３９】
第２信号駆動部１９に設けられた８個の出力端子は各々、第２信号線６０９ａ〜６１６ａに接続されている。第２信号駆動部１９には、クロック信号Ｃと、ラッチ信号Ｌと、第２階調信号Ｉ２と、データ（点灯信号）ｄ４が入力される。この様に、各第２信号線６０１〜６１６，６０１ａ〜６１６ａは、第２信号駆動部１６，１７，１８，１９に接続されている。
【００４０】
この様に、第１発光素子８を駆動する第１信号駆動部１２，１３，１４，１５が設けられている。また、第２発光素子９を駆動する第２信号駆動部１６，１７，１８，１９が設けられている。
【００４１】
図２に示す様に、表示部３ｂは表示部３ａと同じ構成である。表示部３ｂを構成する各走査線４０１〜４０８は走査駆動部１０に接続されている。表示部３ｂを構成する各走査線４０９〜４１６は走査駆動部１１に接続されている。走査駆動部１０、１１には各々、スキャン信号Ａが入力される。
【００４２】
表示部３ｂを構成する各第１信号線５０１〜５１６は、第１信号駆動部１２，１３に接続されている。表示部３ｂを構成する各第１信号線５０１ａ〜５１６ａは、第１信号駆動部１４，１５に接続されている。第１信号駆動部１２，１３，１４，１５には各々、データＤ５，Ｄ６，Ｄ７，Ｄ８が入力される。
【００４３】
表示部３ｂを構成する各第２信号線６０１〜６１６は、第２信号駆動部１６，１７に接続されている。表示部３ｂを構成する各第２信号線６０１ａ〜６１６ａは、第２信号駆動部１８，１９に接続されている。第２信号駆動部１６，１７，１８，１９には各々、データｄ５，ｄ６，ｄ７，ｄ８が入力される。
【００４４】
図２に示す様に、表示部３ｃは表示部３ａと同じ構成である。表示部３ｃを構成する各走査線４０１〜４０８は走査駆動部１０に接続されている。表示部３ｃを構成する各走査線４０９〜４１６は走査駆動部１１に接続されている。走査駆動部１０、１１には各々、スキャン信号Ａが入力される。
【００４５】
表示部３ｃを構成する各第１信号線５０１〜５１６は、第１信号駆動部１２，１３に接続されている。表示部３ｃを構成する各第１信号線５０１ａ〜５１６ａは、第１信号駆動部１４，１５に接続されている。第１信号駆動部１２，１３，１４，１５には各々、データＤ９，Ｄ１０，Ｄ１１，Ｄ１２が入力される。
【００４６】
表示部３ｃを構成する各第２信号線６０１〜６１６は、第２信号駆動部１６，１７に接続されている。表示部３ｃを構成する各第２信号線６０１ａ〜６１６ａは、第２信号駆動部１８，１９に接続されている。第２信号駆動部１６，１７，１８，１９には各々、データｄ９，ｄ１０，ｄ１１，ｄ１２が入力される。
【００４７】
図２に示す様に、表示部３ｄは表示部３ａと同じ構成である。表示部３ｄを構成する各走査線４０１〜４０８は走査駆動部１０に接続されている。表示部３ｄを構成する各走査線４０９〜４１６は走査駆動部１１に接続されている。走査駆動部１０、１１には各々、スキャン信号Ａが入力される。
【００４８】
表示部３ｄを構成する各第１信号線５０１〜５１６は、第１信号駆動部１２，１３に接続されている。表示部３ｄを構成する各第１信号線５０１ａ〜５１６ａは、第１信号駆動部１４，１５に接続されている。第１信号駆動部１２，１３，１４，１５には各々、データＤ１３，Ｄ１４，Ｄ１５，Ｄ１６が入力される。
【００４９】
表示部３ｄを構成する各第２信号線６０１〜６１６は、第２信号駆動部１６，１７に接続されている。表示部３ｄを構成する各第２信号線６０１ａ〜６１６ａは、第２信号駆動部１８，１９に接続されている。第２信号駆動部１６，１７，１８，１９には各々、データｄ１３，ｄ１４，ｄ１５，ｄ１６が入力される。
【００５０】
この様に、表示部３ａ，３ｂ，３ｃ，３ｄと、走査駆動部１０，１１と、第１信号駆動部１２，１３，１４，１５と、第２信号駆動部１６，１７，１８，１９等により、表示手段２は構成されている（図２参照）。
【００５１】
次に、主に図１に従い、制御手段２０等を説明する。制御手段２０は例えば、点灯制御回路２１と、制御部２２と、ＲＯＭ２３と、フォントロム２４と、ＲＡＭ２５と、インターフェース２６等からなる。
【００５２】
点灯制御回路２１の入力側は制御部２２に接続されている。点灯制御回路２１の出力側は、走査駆動部１０，１１と、第１信号駆動部１２，１３，１４，１５と、第２信号駆動部１６，１７，１８，１９に接続されている。
【００５３】
点灯制御回路２１は走査駆動部１０，１１に対し各々、スキャン信号Ａを出力する。点灯制御回路２１は、入力されたデータＤを、データＤ１〜Ｄ１６に分割し、表示部３ａ〜３ｄに接続された各第１信号駆動部１２，１３，１４，１５に対し、データＤ１〜Ｄ１６を出力する。
【００５４】
点灯制御回路２１は、入力されたデータｄを、データｄ１〜ｄ１６に分割し、表示部３ａ〜３ｄに接続された各第２信号駆動部１６，１７，１８，１９に対し、データｄ１〜ｄ１６を出力する。
【００５５】
点灯制御回路２１は、表示部３ａ〜３ｄに接続された各第１信号駆動部１２，１３，１４，１５に対し、第１階調信号Ｉ１と、クロック信号Ｃと、ラッチ信号Ｌを出力する。
【００５６】
点灯制御回路２１は、表示部３ａ〜３ｄに接続された各第２信号駆動部１６，１７，１８，１９に対し、第２諧調信号Ｉ２と、クロック信号Ｃと、ラッチ信号Ｌを出力する。
【００５７】
制御部２２は例えばＣＰＵ等からなり、各部品２１，２３，２４，２５，２６を制御する。ＲＯＭ２３は制御部２２の制御プログラム等を記憶している。フォントロム２４は、各種の文字データを記憶している。
【００５８】
ＲＡＭ２５はランダムアクセスメモリであり、この表示装置１の動作に必要なデータを記憶している。インターフェース２６は、外部部品と制御部２２との間で、信号の授受を行なう。
【００５９】
ＩＣカード２７は例えば、表示装置１に表示すべきデータが書き込まれている。カード制御回路２８は、ＩＣカード２７に書き込まれた表示データを読み取り、インターフェース２６へ出力するものである。
【００６０】
入力部２９は例えばリモコン等からなり、テンキーや機能キーと、赤外線放射部等を有しており、表示データを赤外線に変換し、出力する。この様に、制御手段２０に接続された入力部２９が設けられている。
【００６１】
リモコン制御回路３０は、入力部２９から放射された赤外線から表示データを読み取りインターフェース２６へ出力するものである。以上の部品により、この表示装置１は構成されている。
【００６２】
次に、図１ないし図６に従い、この表示装置１の動作を説明する。図６は、この表示装置１に用いられる表示手段２における、各信号のタイミングチャートの１例である。
【００６３】
最初に、管理者（使用者）は、入力部２９（リモコン）に設けられた「キド」を押すと表示部３ａに「キド」が表示される（図２参照）。
【００６４】
次に、管理者は入力部２９に設けられたテンキーから、「４」を選んで押したとする。この時、表示部３ｂには、第１発光素子８（橙色発光ダイオード）が選択された事を示す識別記号３１（例えば、Ｏ）が表示される（図２参照）。
【００６５】
そして、その識別記号３１の右隣に、第１発光素子８の第１階調度３２（図２では、８を例示）が示される。管理者が入力部２９の「４」のキーを押す毎に、第１階調度３２は大きくなる。ただし、上記例では、８が最大値であるので、これより大きくならない。
【００６６】
また、管理者が入力部２９の「７」のキーを押す毎に、第１階調度３２は大きくなる。但し、最低値が１であり、これより小さくならない。
【００６７】
上記内容をまとめる。入力部２９において、第１発光素子８に係る第１階調度３２が入力されると、制御手段２０は表示手段２に対し、第１階調度３２に対応する第１階調信号Ｉ１を与える。
【００６８】
次に、管理者が入力部２９に設けられたテンキーから「５」を選んで押したとする。この時、表示部３ｂ，３ｃには、第２発光素子９（青色発光ダイオード）が選択された事を示す識別記号３３（例えばＢ）が表示される（図２参照）。
【００６９】
そして、その識別記号３３の右隣には、第２発光素子９の第２諧調度３４（図２では、８を例示）が示されている。管理者が入力部２９の「５」のキーを押す毎に、第２諧調度３４は大きくなる。ただし、上記例では、８が最大値であるので、これより大きくならない。
【００７０】
また、管理者が入力部２０の「８」のキーを押す毎に、第２諧調度３４は大きくなる。ただし、最低値が１であり、これより小さくならない。上記内容をまとめる。入力部２９において、第２発光素子９に係る第２諧調度３４が入力されると、制御手段２０は表示手段２に対し、第２諧調度３４に対応する第２諧調信号Ｉ２を与える。
【００７１】
この様に、制御手段２０は表示部３ａ，３ｂ，３ｃに対して、第１階調（例えば、諧調８の事で、後述）にて、第１階調度３２（例えば８）を表示させる。
【００７２】
また、制御手段２０は表示部３ａ，３ｂ，３ｃに対して、第２諧調（例えば、諧調８の事で、後述）にて、第２階調度３４（例えば８）を表示させる。
【００７３】
図６は、入力部２９において、第１発光素子８に係る第１階調度３２として、「８」が入力された時の、各信号のタイミングチャートを示す。図６において、信号Ａは、走査駆動部１０，１１へ入力されるスキャン信号を示す。
【００７４】
走査駆動部１０，１１は例えば１／８デューティであり、ハイレベルの時間がたとえば５１２μＳであり、ロウレベルの時間が５１２×７＝３５８４μＳであり、上記ハイレベルと、上記ロウレベルを繰り返す。
【００７５】
クロック信号Ｃは、ハイレベルの時間が１μＳであり、ロウレベルの時間が１μＳであり、上記ハイレベルと、上記ロウレベルを繰り返す。
【００７６】
ラッチ信号Ｌの１回目の立下りから２回目の立下りまでの時間は、スキャン信号Ａのハイレベルの時間ａと同一になる様に、設けられている。
【００７７】
第１階調信号Ｉ１は、制御手段２０から出力され、第１信号駆動部１２、１３，１４，１５へ入力されるものである。第１階調信号Ｉ１はイネーブル信号である。第１階調信号Ｉ１がロウレベルの時、第１信号駆動部１２〜１５はアクティブとなる。第１階調信号Ｉ１がハイレベルの時、第１信号駆動部１２〜１５は、ノンアクティブとなる。
【００７８】
スキャン信号Ａが立ち上がってから、第１階調信号Ｉ１のハイレベルの時間ｂは、８μＳである。第１階調信号Ｉ１のロウレベルの時間ｃは４９６μＳである。第１階調信号Ｉ１が立ち上がってから、スキャン信号Ａが立ち下がるまでのハイレベルの時間ｅは８μＳである。
【００７９】
第１階調Ｅ１の波形は、第１階調信号Ｉ１が反転したものであり、第１発光素子８への点灯パルスを示す。即ち、この時、点灯パルス幅ｆは４９６μＳである。点灯時間率は、（ｆ／ａ）×１００＝（４９６／５１２）×１００＝９６．７％である。
【００８０】
この様にして、制御手段２０は第１信号駆動部１２〜１５に対し、第１階調信号Ｉ１を与えると、点灯信号が与えられた（即ち、データ信号がハイレベルの状態）複数の第１発光素子８は、同一の第１階調Ｅ１（点灯パルス幅ｆ）にて点灯する。もちろん、点灯信号が与えられない発光素子８は消灯している。
【００８１】
即ち、第１階調Ｅ１にて点灯する事は、各々、段階的に指示された点灯パルス幅ｆに従い点灯する事である。
【００８２】
次に、図６に従って、入力部２９において、第２発光素子９に係る第２階調度３４として、「８」が入力された時の、各信号を説明する。
【００８３】
走査駆動部１０，１１は例えば１／８デューティであり、ハイレベルの時間がたとえば５１２μＳであり、ロウレベルの時間が５１２×７＝３５８４μＳであり、上記ハイレベルと、上記ロウレベルを繰り返す。
【００８４】
クロック信号Ｃは、ハイレベルの時間が１μＳであり、ロウレベルの時間が１μＳであり、上記ハイレベルと、上記ロウレベルを繰り返す。
【００８５】
ラッチ信号Ｌの１回目の立下りから２回目の立下りまでの時間は、スキャン信号Ａのハイレベルの時間ａと同一になる様に、設けられている。
【００８６】
第２階調信号Ｉ２は、制御手段２０から出力され、第２信号駆動部１６、１７，１８，１９へ入力されるものである。第２階調信号Ｉ２はイネーブル信号である。第２階調信号Ｉ２がロウレベルの時、第２信号駆動部１６〜１９はアクティブとなる。第２階調信号Ｉ２がハイレベルの時、第２信号駆動部１６〜１９は、ノンアクティブとなる。
【００８７】
スキャン信号Ａが立ち上がってから、第２階調信号Ｉ２のハイレベルの時間ｂは、８μＳである。第２階調信号Ｉ２のロウレベルの時間ｃは４９６μＳである。第２階調信号Ｉ２が立ち上がってから、スキャン信号Ａが立ち下がるまでのハイレベルの時間ｅは８μＳである。
【００８８】
第２階調Ｅ２の波形は、第２階調信号Ｉ２が反転したものであり、第２発光素子９への点灯パルスを示す。即ち、この時、点灯パルス幅ｆは４９６μＳである。点灯時間率は、（ｆ／ａ）×１００＝（４９６／５１２）×１００＝９６．７％である。
【００８９】
この様にして、制御手段２０は第２信号駆動部１６〜１９に対し、第２階調信号Ｉ２を与えると、点灯信号が与えられた（即ち、データ信号がハイレベルの状態）複数の第２発光素子９は、同一の第２階調Ｅ２（点灯パルス幅ｆ）にて点灯する。もちろん、点灯信号が与えられない第２発光素子９は消灯している。
【００９０】
即ち、第２階調Ｅ２にて点灯する事は、各々、段階的に指示された点灯パルス幅ｆに従い点灯する事である。
【００９１】
この様にして、諧調設定がなされると、表示部３ａ〜３ｄにおいて、その後は、第１発光素子８が諧調８にて出力され、第２発光素子９が諧調８にて出力される。この様にして諧調８にて、橙色と青色は混合されて表示される。
【００９２】
次に、管理者は入力部２９において、例えば、第１階調度３２として８を入力し、第２諧調度３４として１を入力した場合を、図１ないし図５と、図７に従って説明する。この時、第１発光素子８に係る第１階調度３２は８であり、図６で説明した例と同一であるので、説明を省略する。
【００９３】
次に、図７に従って、入力部２９において、第２発光素子９に係る第２階調度３４として、「１」が入力された時の、各信号を説明する。
【００９４】
走査駆動部１０，１１は例えば１／８デューティであり、ハイレベルの時間がたとえば５１２μＳであり、ロウレベルの時間が５１２×７＝３５８４μＳであり、上記ハイレベルと、上記ロウレベルを繰り返す。
【００９５】
クロック信号Ｃは、ハイレベルの時間が１μＳであり、ロウレベルの時間が１μＳであり、上記ハイレベルと、上記ロウレベルを繰り返す。
【００９６】
ラッチ信号Ｌの１回目の立下りから２回目の立下りまでの時間は、スキャン信号Ａのハイレベルの時間ａと同一になる様に、設けられている。
【００９７】
第２階調信号Ｉ２は、制御手段２０から出力され、第２信号駆動部１６、１７，１８，１９へ入力されるものである。第２階調信号Ｉ２はイネーブル信号である。第２階調信号Ｉ２がロウレベルの時、第２信号駆動部１６〜１９はアクティブとなる。第２階調信号Ｉ２がハイレベルの時、第２信号駆動部１６〜１９は、ノンアクティブとなる。
【００９８】
スキャン信号Ａが立ち上がってから、第２階調信号Ｉ２のハイレベルの時間ｇは、２２４μＳである。第２階調信号Ｉ２のロウレベルの時間ｈは６４μＳである。第２階調信号Ｉ２が立ち上がってから、スキャン信号Ａが立ち下がるまでのハイレベルの時間ｉは２２４Ｓである。
【００９９】
第２階調Ｅ２の波形は、第２階調信号Ｉ２が反転したものであり、第２発光素子９への点灯パルスを示す。即ち、この時、点灯パルス幅ｊは６４μＳである。点灯時間率は、（ｊ／ａ）×１００＝（６４／５１２）×１００＝１２．５％である。
【０１００】
この様にして、制御手段２０は第２信号駆動部１６〜１９に対し、第２階調信号Ｉ２を与えると、点灯信号が与えられた（即ち、データ信号がハイレベルの状態）複数の第２発光素子９は、同一の第２階調Ｅ２（点灯パルス幅ｊ）にて点灯する。もちろん、点灯信号が与えられない第２発光素子９は消灯している。
【０１０１】
この様に、第２階調Ｅ２にて点灯する事は、各々、段階的に指示された点灯パルス幅ｊに従い点灯する事である。
【０１０２】
この様にして、諧調設定がなされると、表示部３ａ〜３ｄにおいて、その後は、第１発光素子８が諧調８にて出力され、第２発光素子９が諧調１にて出力される。この様にして各々、諧調８，１にて、橙色と青色は混合されて、橙色の強い色合いにて、表示される。
【０１０３】
次に、管理者は入力部２９において、例えば、第１諧調度３２として８を入力し、第２発光素子９に係る第２階調度３４として、「Ｎ」（Ｎは２から７までの整数）が入力された時の、各信号を説明する。この時、第１階調度３２は８であり、図６で説明した例と同一であるので、説明を省略する。
【０１０４】
この時、ハイレベルの時間ａにおいて、第２諧調信号Ｉ２のロウレベルの時間は、６４×Ｎ（μＳ）であり、ハイレベルの時間の合計は（５１２−６４×Ｎ）μＳである。
【０１０５】
その結果として、第２階調Ｅ２の波形は、第２階調信号Ｉ２が反転したものであり、第２発光素子９への点灯パルスを示す。即ち、この時、点灯パルス幅は（６４×Ｎ）μＳである。点灯時間率は、（６４×Ｎ／５１２）×１００＝（１２．５×Ｎ）％である。
【０１０６】
この様にして、制御手段２０は第２信号駆動部１６〜１９に対し、第２階調信号Ｉ２を与えると、点灯信号が与えられた（即ち、データ信号がハイレベルの状態）複数の第２発光素子９は、同一の第２階調Ｅ２（上記点灯パルス幅）にて点灯する。もちろん、点灯信号が与えられない第２発光素子９は消灯している。
【０１０７】
この様に、第２階調Ｅ２にて点灯する事は、各々、段階的に指示された点灯パルス幅（６４×Ｎ）μＳ（Ｎ＝２，３，４，５，６，７）に従い、点灯する事である。
【０１０８】
次に、図８の正面図に従い、本発明の実施の形態２に係る表示装置３５を説明する。図８は、この表示装置３５に用いられる表示部を構成する１ドット３６の正面図である。
【０１０９】
図８において、１ドット３６は、１個の第１発光素子３７（例えば、赤色発光ダイオード）と、１個の第２発光素子３８（例えば、緑色発光ダイオード）とからなる。その他の構成は、表示装置１と同じである。
【０１１０】
次に、図９に従い、本発明の実施の形態３に係る表示装置３９を説明する。図９は、この表示装置３９に用いられる表示部を構成する１ドット４０の正面図である。
【０１１１】
図９において、１ドット４０は、２個の第１発光素子４１，４２（例えば、赤色発光ダイオード）と、１個の第２発光素子４３（例えば、緑色発光ダイオード）と、１個の第３発光素子４４（例えば、青色発光ダイオード）とからなる。
【０１１２】
各第１発光素子４１，４２のアノードは共通して、走査線４０１〜４１６に接続されている。各第１発光素子４１，４２のカソードは共通して、第１信号線５０１〜５１６，５０１ａ〜５１６ａに接続されている。
【０１１３】
各第２発光素子４３のアノードは、走査線４０１〜４１６に接続されている。各第２発光素子４３のカソードは、第２信号線６０１〜６１６，６０１ａ〜６１６ａに接続されている。
【０１１４】
第３信号線４５０１〜４５１６，４５０１ａ〜４５１６ａは各々、第２信号線６０１〜６１６，６０１ａ〜６１６ａの近傍に設けられている。各第３発光素子４４のアノードは、走査線４０１〜４１６に接続されている。各第３発光素子４４のカソードは、第３信号線４５０１〜４５１６，４５０１ａ〜４５１６ａに接続されている。
【０１１５】
また、第３信号線４５０１〜４５０８は第３信号駆動部４６（図示せず）に接続されている。第３信号線４５０９〜４５１６は、第３信号駆動部４７（図示せず）に接続されている。第３信号線４５０１ａ〜４５０８ａは、第３信号駆動部４８（図示せず）に接続されている。第３信号線４５０９ａ〜４５１６ａは、第３信号駆動部４９（図示せず）に接続されている。その他の部品は、表示装置１の部品と同じである。以上の部品により、この表示装置３９は構成されている。
【図面の簡単な説明】
【０１１６】
【図１】本発明を実施するための最良の形態１にかかる表示装置１のブロック図である。
【図２】上記表示装置１に用いられる表示手段２の正面図である。
【図３】上記表示装置１における１ドット７の正面図である。
【図４】上記表示手段２の回路図の１部を示す図面である。
【図５】上記表示手段２の回路図の他部を示す図面である。
【図６】上記表示手段２における、各信号のタイミングチャートの１例を示す図面である。
【図７】上記表示手段２における、各信号のタイミングチャートの他の例を示す図面である。
【図８】本発明を実施するための最良の形態２にかかる表示装置３５における、１ドット３６の正面図である。
【図９】本発明を実施するための最良の形態３にかかる表示装置３９における、１ドット４０の正面図である。
【符号の説明】
【０１１７】
３ａ，３ｂ，３ｃ  表示部
１２，１３，１４，１５  第１信号駆動部
１６，１７，１８，１９  第２信号駆動部
【図１】
2006030604.tif 000003
【図２】
2006030604.tif 000004
【図３】
2006030604.tif 000005
【図４】
2006030604.tif 000006
【図５】
2006030604.tif 000007
【図６】
2006030604.tif 000008
【図７】
2006030604.tif 000009
【図８】
2006030604.tif 000010
【図９】
2006030604.tif 000011